(57)【要約】【課題】量水器ユニットを埋設用及び住宅、マンション用に共通して使用できるようにする。【解決手段】ベースフレーム１３の両端部に対向する対の支持部１１，１２を立ち上げ、流量計測用メータ１と開閉弁２と逆止弁３とを備えた量水器ユニット５の両端部６，７を前記対の支持部１１，１２で支持可能とする。そのベースフレーム１３の底部１３ｃに被固定物である量水器収納ボックス２０に対面する固定用係止部１６を設けて、その固定用係止部１６と量水器収納ボックス２０に設けた被係止部１７に挿通されるボルトを介して、量水器収納ボックス２０にベースフレーム１３を係止可能とする。このようにすれば、量水器ユニット５の単体を、ベースフレーム１３を介して任意の場所に設置できるので、埋設用及び住宅、マンション用に共通して使用できるようになり、その設置場所は、量水器収納ボックス内や地盤、床面など水平面上に限定されず、垂直部、傾斜部等に設置できるようになるので、スペースの有効活用にもつながる。【選択図】図１
2006348516.tif 000002
【特許請求の範囲】
【請求項１】
ベースフレーム１３の両端部に対向する対の支持部１１，１２を立ち上げ、流量計測用メータ１と開閉弁２と逆止弁３とを備えた量水器ユニット５の両端部６，７を前記対の支持部１１，１２で支持可能とし、そのベースフレーム１３の底部１３ｃに固定用係止部１６を設けて、その固定用係止部１６を被固定物に設けた被係止部１７に係止可能としたことを特徴とする量水器用ユニットベース。
【請求項２】
上記被係止部１７に固定用ボルトを設け、その固定用ボルトを前記固定用係止部１６に挿通可能としてその固定用ボルトを介して前記固定用係止部１６と被係止部１７とは係止され、前記固定用係止部１６は、上記ベースフレーム１３に上記量水器ユニット５を支持した状態において、その量水器ユニット５よりも平面視外側に設けられることを特徴とする請求項１に記載の量水器用ユニットベース。
【請求項３】
上記量水器ユニット５の流量計測用メータ１は、上記開閉弁２と逆止弁３の間に設けられ、上記ベースフレーム１３に、その流量計測用メータ１を支持可能なメータ受部１５を設けたことを特徴とする請求項１に記載のユニットベース。
【請求項４】
上記被固定物は、上下分割式の量水器収納ボックス２０の下側箱体２０ｂであることを特徴とする請求項１又は２に記載の量水器用ユニットベース。
【請求項５】
請求項１乃至３のいずれかに記載の量水器用ユニットベースの上記対の支持部１１，１２に、流量計測用メータ１と開閉弁２と逆止弁３とを備えた量水器ユニット５の両端部６，７をそれぞれ支持し、上記固定用係止部１６を、前記被固定物に設けた被係止部１７に係止したことを特徴とする量水器ユニットの設置構造。
【発明の詳細な説明】
【技術分野】
【０００１】
この発明は、流量計測用メータ、開閉弁、及び逆止弁からなる量水器ユニットを固定する量水器用ユニットベース、及びそのユニットベースを使用した量水器ユニットの設置構造に関するものである。
【背景技術】
【０００２】
上水道用の管路の途中には、量水器ユニット（上水道用メータユニット）が設けられる。例えば、本発明の実施形態の説明図である図６に基づいて説明すると、量水器ユニット５が、水道本管から分岐して各戸に至る配管の途中に設けられており、その構成は、流量計測用メータ１を備えた管路の上流側に開閉弁２を備えたバルブユニットが、下流側には逆止弁３を備えた逆止弁ユニットが接続されている。この量水器ユニット５は、通常、各戸の敷地内に埋設した量水器収納ボックス２０の中に視認できるように設けられる。
この流量計測用メータ１は、故障の有無如何にかかわらず一定の期間が経過すれば交換することが義務付けられているとともに、その期間内でも故障や損傷等により、適宜、点検、交換する必要が生じ得る。このため、流量計測用メータ１とバルブユニット及び逆止弁ユニットとは取り外し可能に連結されている（例えば、特許文献１参照）。
【０００３】
また、上記量水器ユニットを一体的に支持する環状の支持枠体を設けて、その支持枠体を、上下分割式の量水器収納ボックスの上側箱体と下側箱体の間に挟んで保持するようにしたものがある（例えば、特許文献２参照）。
【特許文献１】特開２０００−１４４８１９号公報
【特許文献２】特開２００２−０２１１２４号公報
【発明の開示】
【発明が解決しようとする課題】
【０００４】
量水器ユニットは、従来より、特に戸建住宅等の場合には、地中に埋設した量水器収納ボックス内に収めて使用することが前提となるため、その収納ボックスの設置にはスペース（土地）を要する。
また、量水器ユニットを、マンション、アパート等の集合住宅に設ける場合には、壁面等に設けたいわゆるメータボックス（電気・ガス・水道などのメータを検針しやすいようにまとめて収めた箱）内に、ガスや電気のメータ類とともにその量水器ユニットを配置することとなる。
しかし、従来の量水器ユニットは、上記埋設用のものと、上記集合住宅用（住宅、マンション用）のものに分類されており、両者の用途に共通に利用できるものがなかった。
【０００５】
そこで、この発明は、量水器ユニットを埋設用及び住宅、マンション用に共通して使用できるようにすることを課題とする。
【課題を解決するための手段】
【０００６】
上記の課題を解決するために、この発明は、量水器ユニットをベースフレームで支持して、そのベースフレームを、地盤や床面、壁面、各種ボックス、その他被固定物に直接固定できるようにしたのである。
このようにすれば、収納ボックスを伴わない量水器ユニットの単体を、ベースフレームを介して任意の場所に設置できるので、埋設用及び住宅、マンション用に共通して使用できるようになる。また、その設置場所は、量水器収納ボックス内や地盤、床面など水平面上に限定されず、垂直部、傾斜部等に設置できるようになるので、スペースの有効活用にもつながる。
【発明の効果】
【０００７】
この発明は、以上のようにしたので、埋設用及び住宅、マンション用に使用する量水器ユニットを共通なものにすることができる。
【発明を実施するための最良の形態】
【０００８】
上記手段の具体的実施形態として、ベースフレームの両端部に対向する対の支持部を立ち上げ、流量計測用メータと開閉弁と逆止弁とを備えた量水器ユニットの両端部を前記対の支持部で支持可能とする。そのベースフレームの底部に固定用係止部を設けて、その固定用係止部を、前記被固定物に設けた被係止部に係止可能としたのである。
このようにすれば、量水器ユニットはその両端部でベースフレームに支持されて、量水器ユニットとベースフレームとが一体になる。そこで、ベースフレームの底部に固定用係止部を、被固定物に対応する被係止部を設ければ、その量水器ユニットを被固定物に固定しやすくなる。
【０００９】
上記の構成において、上記被係止部に固定用ボルトを設け、その固定用ボルトを前記固定用係止部に挿通可能としてその固定用ボルトを介して前記固定用係止部と被係止部とは係止され、前記固定用係止部を、そのベースフレームに上記量水器ユニットを支持した状態において、その支持した量水器ユニットよりも平面視外側に設ければ、固定用係止部と被係止部との係止作業が容易にできるようになる。
【００１０】
また、上記の各構成において、上記量水器ユニットの流量計測用メータは、上記開閉弁と逆止弁の間に設けられ、上記ベースフレームに、その流量計測用メータを支持可能なメータ受部を設ければ、流量計測用メータが、そのメータ受部を介してベースフレームに支持され、量水器ユニットとベースフレームとの一体性が高まる。両者の一体性が高まれば、量水器ユニットをよりしっかりと被固定物へ固定できる。
【００１１】
さらに、上記被固定物は、上下分割式の量水器収納ボックスの下側箱体であってもよい。ベースフレームを量水器収納ボックスの下側箱体に設置できるようにすれば、例えば、地盤に埋設したボックスを取り外し、撤去等することなく、量水器用ユニットベースのみを取り替えることができ、交換作業が容易となる。
【００１２】
上記構成の量水器用ユニットベースを用いて、その量水器用ユニットベースの上記対の支持部に、流量計測用メータと開閉弁と逆止弁とを備えた量水器ユニットの両端部をそれぞれ支持し、上記固定用係止部を、前記被固定物に設けた被係止部に係止した量水器ユニットの設置構造を採用し得る。
このようにすれば、量水器ユニットはその両端部でベースフレームに支持されて、量水器ユニットとベースフレームとが一体になる。そこで、ベースフレームの底部に固定用係止部を、被固定物に対応する被係止部を設ければ、その量水器ユニットを被固定物に固定しやすくなる。また、固定された量水器ユニットが嵩張らない。
【実施例】
【００１３】
一実施例を図１乃至図６に基づいて説明する。
この実施例は、水道本管から分岐して各戸に至る配管の途中に設けられ、各戸の敷地内において地盤Ｇに埋設した量水器用収納ボックス２０内に、量水器ユニット５が収納されている（図６参照）。
量水器ユニット５の構成は、図１及び図２に示すように、流量計測用メータ１を備えた管路Ｐの上流側に開閉弁２を備えたバルブユニットが、下流側には逆止弁３を備えた逆止弁ユニットが接続されている。なお、流量計測用メータ１の検針部は、ボックス２０の外側から視認できるように設けられる。
【００１４】
前記量水器ユニット５はユニットベース１０に支持されており、そのユニットベース１０は、図３に示すように、側面部１３ａ、端面部１３ｂ、及び底部１３ｃで構成された四辺形枠状のベースフレーム１３の両端部において、両端面部１３ｂ，１３ｂからそれぞれ対の支持部１１，１２が立ち上げられて対向している。
両支持部１１，１２には、量水器ユニット５の両端部６，７用の挿通部１１ｂ，１２ｂが形成されており、その挿通部１１ｂ，１２ｂに、量水器ユニット５の両端部６，７を挿通する。その状態で外側の配管用接続部６ａ，７ａ側から嵌めたナット等により、両端部６，７を両支持部１１，１２に締付ければ、量水器ユニット５がユニットベース１０に固定される。なお、両支持部１１，１２の裾部１１ａ，１２ａは、図３に示すように断面弧状に形成されており、前記両支持部１１，１２に必要な強度を確保するとともに、量水器ユニット５が支障しないようになっている。
【００１５】
また、量水器ユニット５の流量計測用メータ１の底部４側には凸状の保持部８が形成されており、上記ベースフレーム１３の底部１３ｃから立ち上げたメータ受部１５の対の突部１５ａ，１５ａの間に保持部８が嵌ることによって、流量計測用メータ１がユニットベース１０にしっかりと支持される。このため、量水器ユニット５又はユニットベース１０に対し、両者がベースフレーム１３の平面方向へ相対移動する方向へ力が作用した際に、両者が動かないようによりしっかりと耐えうるとともに、ユニットベース１０にねじれる方向への力が加わった際にも、量水器ユニット５とユニットベース１０の全体が一体となって高い剛性でもって抵抗するので、量水器ユニット５及びユニットベース１０は、それを取り付けるべき被固定物である量水器収納ボックス２０に対して、よりしっかりと固定される。
【００１６】
さらに、そのベースフレーム１３の底部１３ｃには、前記量水器収納ボックス２０へ対面する固定用係止部（係止穴）１６を設けている。固定用係止部１６は、図２に示すように、ベースフレーム１３の両端部において、そのベースフレーム１３に量水器ユニット５を支持した状態において、その量水器ユニット５よりも平面視外側、すなわち量水器ユニット５の直下の部分を避けて合計４箇所設けられている。
【００１７】
量水器ユニット５及びユニットベース１０は、図４及び図５に示すように、上側箱体２０ａと下側箱体２０ｂとからなる上下分割式の量水器収納ボックス２０の下側箱体２０ｂに係止される。その係止方法は、図４（ｂ）に示すように、下側箱体２０ｂに設けた被係止部（固定用ボルト）１７を、前記各固定用係止部１６に挿通するとともに、その固定用ボルト１７にナットをねじ込んで締め付ける。ただし、下側箱体２０ｂに被係止部１７を設けなくてもよく、下側箱体２０ｂ内に量水器ユニット５及びユニットベース１０を設置するだけでも安定する。
このとき、前記固定用係止部１６は、量水器ユニット５の外縁よりも両側面部１３ａ，１３ａ寄りに設けられているので、支持した量水器ユニット５に対面する位置から視認可能である。このため、この量水器ユニット５及びユニットベース１０を設置、あるいは取り外し、撤去、交換しようとする作業者は、量水器ユニット５に支障することなく、その作業を行うことができるのである。
【００１８】
なお、他の実施例としては、量水器ユニット５及びユニットベース１０を量水器収納ボックス２０に収納せずに、直接被固定物に係止する態様も可能である。この場合、被固定物とは、地盤や床面、壁面、各種ボックス、その他の被固定物が考えられる。
なお、固定用係止部１６と被係止部１７との係止方法は、この実施例の固定用ボルトによる手法以外にも、周知の手法を採用できる。例えば、被固定物が壁面等である場合には、フック等も使用できる。
【図面の簡単な説明】
【００１９】
【図１】一実施例のユニットベースに量水器ユニットを装着した状態を示す正面断面図
【図２】図１の平面図
【図３】同実施例のユニットベースの斜視図
【図４】同実施例のユニットベース及び量水器ユニットを量水器収納ボックスへ収納した状態を示し、（ａ）は平面図、（ｂ）は（ａ)のＡ−Ａ断面図
【図５】（ａ）はユニットベース及び量水器ユニットを量水器収納ボックスへ収納した状態を示す図４（ｂ）のＢ−Ｂ断面図、（ｂ）は同じく図４（ｂ）の右側面図、（ｃ）はユニットベースに量水器ユニットを取り付けた状態を示す図２の左側面図
【図６】量水器収納ボックスを地中埋設して使用する場合の支持構造を示す断面図
【符号の説明】
【００２０】
１  流量計測用メータ
２  開閉弁
３  逆止弁
４  メータ底部
５  量水器ユニット
６，７  端部
６ａ，７ａ  接続部
８  保持部
１０  ユニットベース
１１，１２  支持部
１１ａ，１２ａ  裾部
１１ｂ，１２ｂ  挿通部
１３  ベースフレーム
１３ａ  側面部
１３ｂ  端面部
１３ｃ  底部
１５  メータ受部
１５ａ  突部
１６  固定用係止部
１７  被係止部
２０  量水器収納ボックス（被固定物）
Ｐ  管路
【図１】
2006348516.tif 000003
【図２】
2006348516.tif 000004
【図３】
2006348516.tif 000005
【図４】
2006348516.tif 000006
【図５】
2006348516.tif 000007
【図６】
2006348516.tif 000008